(57)【要約】      （修正有）【課題】収納し易く、体積を縮小し、使用の操作も簡単且つ便利な携帯式洗浄器を提供する。【解決手段】携帯式洗浄器は、殻体１０、電動送水モジュール２０及びスプレー構造３０を含み、殻体１０は、収容室１１１を有する。電動送水モジュール２０は、移動可能に収容室１１１に収容され、電動送水モジュール２０は、ケース２１、ケース２１内に設置されるポンプ２２、および、ポンプ２２に連通する送水流路２３を含む。送水流路２３の一端は、収容室１１１に対応して配置され、ケース２１は、殻体１０に相対して移動した後、収容室１１１内に貯水槽を形成する。スプレー構造３０は、ケース２１に接続して送水流路２３の他端と連通する。【選択図】図１
0003218153.tif 000002
【実用新案登録請求の範囲】
【請求項１】
収容室を有する殻体と、
該収容室に移動可能に収容され、ケース、該ケース内に設置されるポンプ及び該ポンプに連通する送水流路を含み、該送水流路の一端は、該収容室に対応して配置され、該ケースは、該殻体に相対して移動後に該収容室内に貯水槽を形成する電動送水モジュールと、
該ケースを接続し、該送水流路の他端と接続するスプレー構造と、を含む携帯式洗浄器。
【請求項２】
前記殻体は、中空管を含み、該収容室に該中空管内に形成され、該ケースは、該中空管内に滑動可能に接続される請求項１に記載の携帯式洗浄器。
【請求項３】
前記ケースの一端は、溝を設け、該溝内に密封環を嵌合設置し、該密封環により該中空管に密接に合わせられる請求項２に記載の携帯式洗浄器。
【請求項４】
前記送水流路は、給水管及び排水管を有し、該給水管は、該収容室と連通し、該スプレー構造は、スプレーロッドを含み、該排水管は、該スプレーロッドと連通する請求項１に記載の携帯式洗浄器。
【請求項５】
前記電動送水モジュールは、給電ユニットを更に含み、該給電ユニットは、ポンプに電気接続する請求項１に記載の携帯式洗浄器。
【請求項６】
前記電動送水モジュールは、押圧スイッチを更に含み、該押圧スイッチは、該ケースに固定され、該ポンプに電気接続する請求項１に記載の携帯式洗浄器。
【請求項７】
前記殻体は、中空管及び側蓋部材を含み、該側蓋部材は、該中空管の一端と密接に合わせられる請求項１に記載の携帯式洗浄器。
【請求項８】
前記側蓋部材は、側蓋及びフリップカバーを含み、該側蓋は、密封環によって該中空管の一端口に密接され、該側蓋は、給水口を開設し、該フリップカバーの一端は、該側蓋に枢着し、Ｏ形環によって該給水口に対応して密接に合わせられる請求項７に記載の携帯式洗浄器。
【請求項９】
前記スプレー構造は、ソケット体及びスプレーロッドを含み、該ソケット体は、該ケースの一端に被せられ、該スプレーロッドの一端は、該ソケット体に枢着され、該送水流路と連通する請求項１に記載の携帯式洗浄器。
【請求項１０】
前記調整部材は、該スプレーロッドに対応して被せられ、該スプレーロッドは、複数の位置決めバーを設け、該調整部材は、凸ストリップを設け、各該位置決めバー及び該凸ストリップの相互の嵌合によって位置決めされる請求項９に記載の携帯式洗浄器。
【請求項１１】
前記スプレーロッドは、複数のスプレー孔を開設し、該調整部材は、各該スプレー孔に対して遮蔽を行うことに用いられ、それにより各該スプレー孔の排水孔の数量を制御できる請求項１０に記載の携帯式洗浄器。
【請求項１２】
前記ケースは、収容槽を設け、該スプレーロッドは、該収容槽内に収容可能である請求項９に記載の携帯式洗浄器。
【考案の詳細な説明】
【技術分野】
【０００１】
本考案は、洗浄器技術に関し、特に、携帯式洗浄器に関する。
【背景技術】
【０００２】
生活レベルの絶え間ない向上に伴って、衛生清潔に対する要求も日増しに増加し、従って、温水洗浄便座の出現があったが、温水洗浄便座のスプレー装置は、便座に固定されており、外出に携帯できず、外出使用上の困難を招き、従って、ある業者は、外出時に携帯に便利なアーム部洗浄装置を研究開発しており、婦女、障害者、肥満者、痔患者、行動の不自由な者の操作及び使用に適合し、更に、成人が乳幼児の排泄部位を洗浄及び消毒する作業に利用できるようにしている。
【０００３】
現在の携帯式洗浄装置は、ほとんどが押圧可能なシュノーケル又は伸縮式ガス供給装置によって水に昇圧操作を行い、それは、全体の体積の増大を招いて携帯に不便であり、且つ前記シュノーケル又はガス供給装置が提供できる圧力上昇が制限を受け、使用者の実際の使用過程で相当大きな不便を招く。
【０００４】
これに鑑み、本考案者は、上記現有技術に対して、特に研究に専念し、学理的運用を合わせ、上記問題点の解決に尽力することが、本考案者の改良の目標となっている。
【先行技術文献】
【特許文献】
【０００５】
【特許文献１】特開２００３−１００６７号公報
【考案の概要】
【考案が解決しようとする課題】
【０００６】
本考案の目的は、各構成部材の配設によって、隠し収納し易く、体積を大幅に縮小し、且つ使用時の操作も相当簡単且つ便利である携帯式洗浄器を提供することにある。
【課題を解決するための手段】
【０００７】
上記の目的を達成する為、本考案が提供する携帯式洗浄器は、殻体、電動送水モジュール及びスプレー構造を含み、該殻体は、収容室を有し、該電動送水モジュールは、移動可能に該収容室中に収容され、該電動送水モジュールは、ケース、ケース内に設置されるポンプ及び該ポンプに連通する送水流路を含み、該送水流路の一端は、該収容室に対応して配置され、該ケースは、該殻体に相対して移動した後該収容室に貯水槽を形成し、該スプレー構造は、がケース及び該送水流路の他端に連通する。
【考案の効果】
【０００８】
本考案は、以下の効果を有する。ケースと中空管の滑動接続の組み合わせによって、ケースの出し入れの操作を更に簡単且つ容易にさせることができる。密封環及びＯ形環の設置によって、中空管とケース、中空管と側蓋及び側蓋とフリップカバーが何れも良好な密封効果を得ることができる。
【図面の簡単な説明】
【０００９】
【図１】本考案の携帯式洗浄器の立体分解図である。
【図２】本考案の携帯式洗浄器のもう１つの視角の立体分解図である。
【図３】本考案の携帯式洗浄器の組み合わせ外観説明図である。
【図４】本考案の携帯式洗浄器の組み合わせ断面図である。
【図５】本考案のスプレーロッド及び調整部材の組み合わせ断面図である。
【図６】本考案の携帯式洗浄器が水を汲む組み合わせ断面図である。
【図７】本考案の携帯式洗浄器の操作状態図である。
【図８】本考案の携帯式洗浄器の使用状態図である。
【考案を実施するための形態】
【００１０】
本考案の詳細な説明及び技術内容について、以下に図面に合わせて説明するが、図面は、参考説明用であり、本考案に制限を加えるためのものではない。
【００１１】
図１及び図４を参照し、本考案の携帯式洗浄器は、殻体１０、電動送水モジュール２０及びスプレー構造３０を含む。
【００１２】
殻体１０は、ストリップ状を呈するが、この種の形状に制限するものではなく、本実施例の殻体１０は、主に中空管１１及び側蓋部材１２を含み、中空管１１の内部に収容室１１１を有し、側蓋部材１２は、中空管１１の一端と密接に合わさり、且つ側蓋部材１２は、主に側蓋１２１及びフリップカバー１２３を含み、そのうち、側蓋１２１は、密封環１３によって中空管１１の一端口の位置に密着し、側蓋１２１の上部位置に給水口１２２を開設し、フリップカバー１２２の一端は、側蓋１２１に枢着し、Ｏ形環１２４によって給水口１２２に対応して密接に合わさる。
【００１３】
電動送水モジュール２０は、移動可能に前記収容室１１１に収容され、且つそれは、主にケース２１を含み、このケース２１の形状は前記中空管１１の形状と近く、ケース２１は、前記収容室１１１中に収容されて滑動可能に接続し、且つケース２１は、殻体１０の中空管１１に相対して移動した後、前記収容室１１１内に貯水槽Ａを形成する（図６参照）。また、ケース２１の一端は、溝２１１を設け、溝２１１内に密封環２５を嵌合設置し、前記中空管１１に密接に合わさる。また、ケース２１の上部に収容槽２１２を設ける。
【００１４】
更に、電動送水モジュール２０は、ポンプ２２、送水流路２３及び給電ユニット２４をさらに含み、ポンプ２２は、ケース２１の内部に設置され、水を伝送する。送水流路２３は、ポンプ２２に接続し、且つ送水流路２３は、給水管２３１及び排水管２３２を有し、給水管２３１は、前記収容室１１１と連通する。給電ユニット２４は、ポンプ２２に電気接続し、ポンプ２２が必要な電力を供給し、給電ユニット２４は、電池又は繰り返し充放電可能なバッテリであることができる。
【００１５】
更に、電動送水モジュール２０は、押圧スイッチ２６を更に含み、この押圧スイッチ２６は、ケース２１に固定され、ポンプ２２に電気接続し、ポンプ２２にオン又はオフの操作を行うことに用いられる。
【００１６】
図５を併せて参照し、スプレー構造３０は、ケース２１の密封環２５から離れる一端に接続し、且つスプレー構造３０は、送水流路２３の排水管２３２と連通し、スプレー構造３０は、主にソケット体３１、スプレーロッド３２及び調整部材３３を含み、ソケット体３１は、前記ケース２１の一端に被さり合い、スプレーロッド３２の一端は、ソケット体３１に枢着し、且つ前記排水管２３２と連通し、このスプレーロッド３２は、前記ケース２１の収容槽２１２内に収容できる。スプレーロッド３２の上部に、複数のスプレー孔３２１を開設し、スプレーロッド３２の中間領域は、複数の位置決めバー３２２を設け、調整部材３３は、Ｕ字形を呈し、２つの側板の内壁にそれぞれ凸ストリップ３３１を延伸し、調整部材３３は、スプレーロッド３２に対応して被せられ、各位置決めバー３２２及び凸ストリップ３３１の相互の嵌合によって位置決めされ、前記各スプレー孔３２１に対して遮蔽を行い、このように、多段式調整で各スプレー孔３２１の排水孔の数量を調整でき、それぞれ人体が座った姿勢を取る時の臀部の前側洗浄又は後側洗浄の用途、又は妊婦の出産後の生理洗浄に適用できる。
【００１７】
図６〜図８に示すように、操作時に先ず電動送水モジュール２０のケース２１を殻体１０の中間管１１に対して引き出し、この時、ケース２１の端面及び側蓋部材１２の間に前記貯水槽Ａに形成され、その次にフリップカバー１２３を開き、それを貯水容器８内に入れ、この時、貯水容器８内の水は、貯水槽Ａ内に充填され（同様に、側蓋１２１の給水口１２２を水道の蛇口の排水口に位置合わせでき、直接水を貯水槽Ａ内に注入できる）、続いて、フリップカバー１２３を給水口１２２に密接に合わせた後、貯水容器８から取り出し、最後にスプレーロッド３２をケース２１の収容槽２１２内から出し、調整部材３３を移動して排水モードを選択する。使用時は、この携帯式洗浄器を臀部に位置合わせし、押圧スイッチ２６をオンにして洗浄を行うことができる。
【００１８】
上記のように、本考案の携帯式洗浄器は、予期する使用目的を確かに達成でき、従来の欠陥を解決し、新規性、進歩性を有し、実用新案出願要件に完全に符号する。
【符号の説明】
【００１９】
＜本考案＞
１０  殻体
１１  中空管
１１１  収容室
１２  側蓋部材
１２１  側蓋
１２２  給水口
１２３  フリップカバー
１２４  Ｏ形環
１３  密封環
２０  電動送水モジュール
２１  ケース
２１１  溝
２１２  収容槽
２２  ポンプ
２３  送水流路
２３１  給水管
２３２  排水管
２４  給電ユニット
２５  密封環
２６  押圧スイッチ
３０  スプレー構造
３１  ソケット体
３２  スプレーロッド
３２１  スプレー孔
３２２  位置決めバー
３３  調整部材
３３１  凸ストリップ
Ａ  貯水槽
８  貯水容器
【図１】
0003218153.tif 000003
【図２】
0003218153.tif 000004
【図３】
0003218153.tif 000005
【図４】
0003218153.tif 000006
【図５】
0003218153.tif 000007
【図６】
0003218153.tif 000008
【図７】
0003218153.tif 000009
【図８】
0003218153.tif 000010
【手続補正書】
【提出日】平成30年7月26日(2018.7.26)
【手続補正１】
【補正対象書類名】実用新案登録請求の範囲
【補正対象項目名】全文
【補正方法】変更
【補正の内容】
【実用新案登録請求の範囲】
【請求項１】
収容室を有する殻体と、
該収容室に移動可能に収容され、ケース、該ケース内に設置されるポンプ及び該ポンプに連通する送水流路を含み、該送水流路の一端は、該収容室に対応して配置され、該ケースは、該殻体に相対して移動後に該収容室内に貯水槽を形成する電動送水モジュールと、   該ケースを接続し、該送水流路の他端と接続するスプレー構造と、を含む携帯式洗浄器。
【請求項２】
前記殻体は、中空管を含み、該収容室は該中空管内に形成され、該ケースは、該中空管内に滑動可能に接続される請求項１に記載の携帯式洗浄器。
【請求項３】
前記ケースの一端は、溝を設け、該溝内に密封環を嵌合設置し、該密封環により該中空管に密接に合わせられる請求項２に記載の携帯式洗浄器。
【請求項４】
前記送水流路は、給水管及び排水管を有し、該給水管は、該収容室と連通し、該スプレー構造は、スプレーロッドを含み、該排水管は、該スプレーロッドと連通する請求項１に記載の携帯式洗浄器。
【請求項５】
前記電動送水モジュールは、給電ユニットを更に含み、該給電ユニットは、ポンプに電気接続する請求項１に記載の携帯式洗浄器。
【請求項６】
前記電動送水モジュールは、押圧スイッチを更に含み、該押圧スイッチは、該ケースに固定され、該ポンプに電気接続する請求項１に記載の携帯式洗浄器。
【請求項７】
前記殻体は、中空管及び側蓋部材を含み、該側蓋部材は、該中空管の一端と密接に合わせられる請求項１に記載の携帯式洗浄器。
【請求項８】
前記側蓋部材は、側蓋及びフリップカバーを含み、該側蓋は、密封環によって該中空管の一端口に密接され、該側蓋は、給水口を開設し、該フリップカバーの一端は、該側蓋に枢着し、Ｏ形環によって該給水口に対応して密接に合わせられる請求項７に記載の携帯式洗浄器。
【請求項９】
前記スプレー構造は、ソケット体及びスプレーロッドを含み、該ソケット体は、該ケースの一端に被せられ、該スプレーロッドの一端は、該ソケット体に枢着され、該送水流路と連通する請求項１に記載の携帯式洗浄器。
【請求項１０】
調整部材が該スプレーロッドに対応して被せられ、該スプレーロッドは、複数の位置決めバーを設け、該調整部材は、凸ストリップを設け、各該位置決めバー及び該凸ストリップの相互の嵌合によって位置決めされる請求項９に記載の携帯式洗浄器。
【請求項１１】
前記スプレーロッドは、複数のスプレー孔を開設し、該調整部材は、各該スプレー孔に対して遮蔽を行うことに用いられ、それにより各該スプレー孔の排水孔の数量を制御できる請求項１０に記載の携帯式洗浄器。
【請求項１２】
前記ケースは、収容槽を設け、該スプレーロッドは、該収容槽内に収容可能である請求項９に記載の携帯式洗浄器。